(57)【要約】【課題】照明装置の光量を低コストにて増加させつつ、該照明装置から発する光を光源領域が広く質感の高いものにするように構成した遊技機を提供する。【解決手段】本パチンコ機では、照明装置６１，７１が、ＬＥＤ６２と、ＬＥＤ６２からの光を遊技盤３の前側に向うように反射する反射部材６４と、反射部材６４及びＬＥＤ６２からの光を遊技盤３の前側に拡散する拡散レンズ６５と、を有しつつ、ＬＥＤ６２からの光が、拡散レンズ６５に直接導かれるとともに、反射部材６４を介して拡散レンズ６５へと導かれるようにする。これにより、遊技盤３の前側に直接向わないＬＥＤ６２からの光を、反射部材６４で反射させることによって間接的に向わせることができ、ＬＥＤ６２からの光を遊技中の遊技者に向けて有効に導くことができる。【選択図】図２
2008161456.tif 000002
【特許請求の範囲】
【請求項１】
遊技盤の前側を照明する照明装置を備え、前記遊技盤に形成された遊技領域に遊技球を打ち出して遊技する遊技機において、
前記照明装置は、
光を発する発光部と、
前記発光部に対して前記遊技盤における垂直方向後側に配置され、前記発光部からの光を前記遊技盤の前側に向うように反射する反射部と、
前記反射部及び前記発光部に対し前記遊技盤における垂直方向前側に配設され、該反射部及び該発光部からの光を前記遊技盤の前側に拡散する拡散部と、を有し、
前記発光部は、該発光部からの光が前記拡散部に直接導かれるとともに前記反射部を介して前記拡散部へと導かれる、
ことを特徴とする遊技機。
【請求項２】
前記発光部は、光軸を中心に光を放射状に発してなり、かつ該光軸が前記遊技盤に略々平行となるように配置されてなる、
請求項１に記載の遊技機。
【請求項３】
前記照明装置は、前記発光部と前記拡散部との間に配設され、該発光部から発せられる光のうち前記遊技盤に平行に向う光を、前記遊技盤の前側方向に導くフィルター部を有してなる、
請求項１又は２に記載の遊技機。
【請求項４】
前記フィルター部は、アイスカットレンズである、
請求項３に記載の遊技機。
【請求項５】
前記遊技領域に、画像表示装置の画面を開口部から露出させた状態で配置されたユニット役物を備え、
前記照明装置は、前記ユニット役物に配設されてなり、
前記反射部は、前記発光部から発せられる光のうち前記画像表示装置の画面に向う光を、
前記遊技盤の前側に反射する反射用レンズ部材を有してなる、
請求項１ないし４に記載の遊技機。
【発明の詳細な説明】
【技術分野】
【０００１】
本発明は、パチンコ機等の遊技機に係り、詳しくは、遊技機に備える照明装置の照明機構に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
ところで、上記特許文献１に記載されたようなパチンコ機を含む一般的なパチンコ機においては、照明装置に配設されたＬＥＤやランプ等からの光は、これらを覆う拡散レンズである装飾カバー等に直接投射され、照明装置外側へと透過・拡散される。このとき、装飾カバーの拡散性が低い場合には、該装飾カバーなどを通して遊技者から光源の輪郭が比較的明瞭に視認できるものとなり、いわゆる点発光した状態となる。また、装飾カバーの拡散性が高い場合には、光源の輪郭があいまいとなって見た目に広がりが出るものの、その透過性が犠牲となって照明装置としての光量が不足する虞があった。
【０００６】
そこで本発明は、照明装置の光量を低コストにて増加させつつ、該照明装置から発する光を光源領域が広く質感の高いものにするように構成し、もって上述した課題を解決した遊技機を提供することを目的とするものである。
【課題を解決するための手段】
【０００７】
請求項１に係る本発明は（例えば図１ないし図７参照）、遊技盤（３）の前側を照明する照明装置（６１，７１）を備え、前記遊技盤（３）に形成された遊技領域（３ａ）に遊技球（Ｂａ）を打ち出して遊技する遊技機（１）において、
前記照明装置（６１，７１）は、
光を発する発光部（６２）と、
前記発光部（６２）に対して前記遊技盤（３）における垂直方向後側に配置され、前記発光部（６２）からの光を前記遊技盤（３）の前側に向うように反射する反射部（６４）と、
前記反射部（６４）及び前記発光部（６２）に対し前記遊技盤（３）における垂直方向前側に配設され、該反射部（６４）及び該発光部（６２）からの光を前記遊技盤（３）の前側に拡散する拡散部（６５）と、を有し、
前記発光部は（６２）、該発光部（６２）からの光が前記拡散部（６５）に直接導かれるとともに前記反射部（６４）を介して前記拡散部（６５）へと導かれる、
ことを特徴とする遊技機（１）にある。
【０００８】
請求項２に係る本発明は（例えば図１ないし図７参照）、前記発光部（６２）が、光軸（Ｌ１，Ｌ４）を中心に光を放射状に発してなり、かつ該光軸（Ｌ１，Ｌ４）が前記遊技盤（３）に略々平行となるように配置されてなる、
請求項１に記載の遊技機（１）にある。
【０００９】
請求項３に係る本発明は（例えば図１及び図７参照）、前記照明装置（７１）が、前記発光部（６２）と前記拡散部（６５）との間に配設され、前記発光部から発せられる光のうち前記遊技盤（３）に平行に向う光を、前記遊技盤（３）の前側方向に導くフィルター部（７２）を有してなる、
請求項１又は２に記載の遊技機（１）にある。
【００１０】
請求項４に係る本発明は（例えば図７参照）、前記フィルター部（７２）が、アイスカットレンズ（７２）である、
請求項３に記載の遊技機（１）にある。
【００１１】
請求項５に係る本発明は（例えば図７参照）、前記遊技領域（３ａ）に、画像表示装置（３５）の画面（３５ａ）を開口部（３６）から露出させた状態で配置されたユニット役物（２３）を備え、
前記照明装置（７１）は、前記ユニット役物（２３）に配設されてなり、
前記反射部（６４）は、前記発光部（６２）から発せられる光のうち前記画像表示装置（３５）の画面（３５ａ）に向う光を、
前記遊技盤（３）の前側に反射する反射用レンズ部材（７５）を有してなる、
請求項１ないし４に記載の遊技機（１）にある。
【００１２】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１３】
請求項１に係る本発明によると、照明装置が、発光部と、発光部からの光を遊技盤の前側に向うように反射する反射部と、反射部及び発光部からの光を遊技盤の前側に拡散する拡散部と、を有しつつ、発光部からの光が、拡散部に直接導かれるとともに、反射部を介して拡散部へと導かれるようにする。これにより、本照明装置は、遊技盤の前側に直接向わない発光部からの光を、反射部で反射させることによって間接的に向わせることができるので、光量を維持しつつも面発光した見た目に広がりのある照明をすることができる。また、発光部からのほとんどの光を遊技中の遊技者に向けて損失なく有効に導くことができるので、従来１つの発光部で得ていた光量を超える光量を、同様の１つの発光部から確保することができるようになり、少ない部品点数で効果的な照明をすることが可能となる。このことは、低コストで且つ製造時の組付け労力の少ない遊技機の提供につながる。
【００１４】
また、拡散部を通して視認される発光部が、該発光部の実像と、反射部に映って反射した虚像と、に仮想的に増加することから、あたかも発光部における光源領域が広くなったかのような装飾性を遊技者に提供できるものとなる。更に、発光部における上記実像と虚像との位置が、遊技盤における垂直方向（つまり奥行き方向）に対してズレるため、実像と虚像との間に光度の差異が生じる。これにより、発光部からの光の輪郭が一層あいまいになることから、照明装置から発する光を深みのある質感の高いものにすることができる。
【００１５】
請求項２に係る本発明によると、発光部は、光軸を中心に光を放射状に発してなり、かつ該光軸が遊技盤に略々平行となるように配置されてなるので、拡散部を通して視認される光の光量が、発光部からのものと反射部からのものとでバランスがとれた状態となり、光量を維持しつつも面発光した見た目に広がりのある照明を提供するものとなる。従って、あたかも発光部の光源領域が広くなったかのような装飾性を遊技者に提供できるものとなる。
【００１６】
請求項３に係る本発明によると、照明装置が、発光部と拡散部との間に配設され、発光面から発せられる光のうち遊技盤に平行に向う光を、遊技盤の前側方向に導くフィルター部を有してなる。これにより、発光部から遊技盤に平行に発せられる光が、遊技盤の前側、つまり遊技中の遊技者の方に集約的に導かれるようになり、遊技盤の前側が有効に照明され、遊技機における装飾性の向上を図ることができる。
【００１７】
請求項４に係る本発明によると、フィルター部が、アイスカットレンズであるので、該フィルター部が、遊技盤に平行に向う光を一層拡散させつつ遊技盤の前側に有効に導くことができ、遊技機における装飾性の向上を図ることができる。また、照明装置からの光の輪郭形状が、一層面発光している状態に近づくことから、広がりのある発光装飾を遊技者に提供することができる。
【００１８】
請求項５に係る本発明によると、遊技領域に、画像表示装置の画面を開口部から露出させた状態で配置されたユニット役物を備え、照明装置が、ユニット役物に配設されてなり、反射部が、発光面から発せられる光のうち画像表示装置の画面に向う光を、遊技盤の前側に反射する反射用レンズ部材を有してなる。これにより、照明装置は、画像表示装置の画面の際まで有効に照明できるとともに、発光部からの光が該画面に漏れないようにすることができ、画像表示装置の画面に生じる照り返しや映り込みを防ぐことができる。
【発明を実施するための最良の形態】
【００１９】
以下、本発明に係る遊技機の実施形態として、遊技場等に設置されるパチンコ機を図面に沿って説明する。図１は、本発明の実施の形態におけるパチンコ機の外部構造を示す正面図である。
【００２０】
パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２１】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２が夫々に配設されている。なお、筐体６及び前扉７等により遊技機本体が構成されている。
【００２２】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００２３】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２４】
また、前扉７における皿ユニット１６の右側下方には、上記発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂが夫々配設されている。
【００２５】
遊技領域３ａの中央部分には、ステージＳを有するセンター飾り２３が配設されている。センター飾り２３の下部左右には、大当たり抽選に寄与しない一般の入賞が行われる入賞口２５，２６が配設されており、センター飾り２３の下方には、始動チャッカー２７と、アタッカー５とが順次配設されている。
【００２６】
始動チャッカー２７は、大当たり抽選実行の契機となり得る入賞が行われるものであり、開放位置と閉止位置とに開閉動作するように始動チャッカー開閉ソレノイド６９（図５参照）によって作動させられる。始動チャッカー２７の直上方には、所謂命釘としての一対の障害釘３０が打ち込まれている。
【００２７】
アタッカー５は、大当たり発生時に開放され、遊技盤３の遊技領域３ａに打ち出されて転動落下する遊技球を入賞させるものであり、大当たり発生中、例えば、１回の開放で９個の入球を完了した時点で閉じ、当該開閉動作を１５回（つまり、１５ラウンド）繰り返すように構成される。なお、これらの入球数並びに開閉動作の回数は、９個や１５回に限定されることはなく、必要に応じて適宜設定され得るものである。
【００２８】
遊技領域３ａには、センター飾り２３の四方に風車３１がそれぞれ配設されており、ステージＳの下方における始動チャッカー２７の左側には、スルーゲート３２が配設されている。このスルーゲート３２は、始動チャッカー２７を開閉動作させるための普通図柄抽選の契機となる遊技球通過が行われる役物である。
【００２９】
遊技領域３ａにおけるスルーゲート３２、入賞口２５，２６及び始動チャッカー２７等の周囲には、センター飾り２３のステージＳから零れた遊技球や、発射されてからステージＳに関与せずに落下してくる遊技球を適宜散らし、或いは入球に導くようにするための障害釘３３を含む多数の障害釘が打ち込まれている。
【００３０】
上記センター飾り２３は、その中央部に画像表示装置３５を露出する開口（開口部）３６を有している。また、センター飾り２３の左右側部内には、遊技盤３の前側を照明する照明装置６１が配設されている（詳細は図２以降で後述する）。更に、センター飾り２３は、左右上部にワープ導入口（不図示）を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口４９を有している。このワープ導入口には、これに対向するように一対の障害釘が打ち込まれている。そして、このワープ導入口の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又はステージＳを介さず直接入球させ得るように遊技が進められる。
【００３１】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３２】
次いで、本発明の特徴部分となる照明装置６１について図２及び図３を参照して説明する。図２は図１に示したセンター飾り２３をＡ−Ａ線に沿って切断して矢視方向に見た状態で示す平面図、図３は図１に示したセンター飾り２３のＡ−Ａ線とＢ−Ｂ線とをそれぞれ切断して取り出した部分を斜め上方から見た状態で示す斜視図である。
【００３３】
図２及び図３に示すように、照明装置６１は、発光ダイオード（発光部）６２（以下ＬＥＤ６２という）を実装した基板６３と、ＬＥＤ６２からの光を反射するミラー状の反射部材（反射部）６４と、ＬＥＤ６２及び反射部材６４からの光を拡散する拡散レンズ（拡散部）６５とを有している。なお、図２及び図３の照明装置６１は、図１におけるセンター飾り２３の正面視左側に配設されたものであるが、正面視右側に配設された照明装置６１も同様であり、以下その説明は省略する。
【００３４】
基板６３は、センター飾り２３のステージＳから続く床面Ｓ´に対して垂直に突出した状態で配設されていることから、実装したＬＥＤ６２は、その光軸が矢印Ｌ１に示すように遊技盤３に平行となる。ＬＥＤ６２の光軸が矢印Ｌ１に示す方向となることから、この光軸を中心として例えば矢印Ｌ２，Ｌ３方向に放射状に光が発せられるものとなる。
【００３５】
反射部材６４は、上記基板６３に対する遊技盤３の垂直方向後側で且つ基板６３と直角をなすように、センター飾り２３のステージＳから続く床面Ｓ´に対して垂直をなすように配設されている。従って、反射部材６４のミラー状の反射面は、遊技者が着座する位置（例えば視点Ｅ）に対向する向きとなっている。
【００３６】
拡散レンズ６５は、センター飾り２３の一部をなすように固定されており、上記したＬＥＤ６２及び反射部材６４を、遊技盤３における垂直方向前側から覆うように配設されている。これにより、ＬＥＤ６２及び反射部材６４からの光は、上記拡散レンズ６５を通して遊技盤３の前側に拡散されるものとなる。
【００３７】
次いで、本パチンコ機１の背面構造について図４を参照して説明する。同図は、本パチンコ機１の背面構造を示す背面図である。
【００３８】
すなわち、図４に示すように、パチンコ機１の前扉背面における上部左方には、賞球タンク４３が取り付けられており、この賞球タンク４３の下方に、サブ制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００３９】
次に、本実施形態におけるパチンコ機１の制御系を図５に沿って説明する。なお、同図は本パチンコ機の制御系を示すブロック図である。
【００４０】
すなわち、本制御系は、遊技制御装置８０と、該遊技制御装置８０に電気的に接続された、始動チャッカー開閉ソレノイド６９、アタッカー開閉ソレノイド７０、放音装置１２、演出用照明装置１１、画像表示装置３５、及び照明装置６１を備えている。
【００４１】
遊技制御装置８０は、図４に示した主制御基板４０やサブ制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基板３８は、主に画像表示、効果音等の演出、効果光等の表示制御を行うように構成されている。
【００４２】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、及び表示制御手段９１を備えている。
【００４３】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４４】
入賞信号出力手段８２は、入賞判定手段８１によって入賞が判定されたとき、対応する始動チャッカー２７、入賞口２５，２６、アタッカー５等に入賞した旨の入賞信号を出力する。
【００４５】
抽選手段８３は、入賞信号出力手段８２からの始動チャッカー２７に対応する入賞信号の入力時、最大保留球数（例えば４個）未満での入賞を契機として、乱数値を取得して大当たり抽選を実行する。そして抽選手段８３は、大当たり抽選で確率変動当たりに当選した場合には、不図示の演出用メモリに格納された演出乱数値に基づく抽選で、変動の結果、「３３３」や「７７７」等の図柄が画像表示装置３５の画面上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４６】
また抽選手段８３は、大当たり抽選で通常大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。更に抽選手段８３は、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００４７】
普通図柄抽選手段８５は、始動チャッカー２７を開閉動作させるか否かの普通図柄抽選を、この普通図柄抽選の保留球数（例えば４個）の範囲内で、スルーゲート３２への入球を契機として実行する。
【００４８】
遊技制御手段８６は、放音装置１２に放音駆動の演出をさせる契機となる指令を演出制御手段９０に送る。また、遊技制御手段８６は、演出用照明装置１１及び／又は照明装置６１に発光駆動の演出をさせる契機となる指令を演出制御手段９０に送る。更に、遊技制御手段８６は、予め設定された演出データや、抽選手段８３での抽選結果に応じて、画像表示装置３５の画面に表示すべき大当たり抽選に関連する演出内容に関する信号を表示制御手段９１に送る。
【００４９】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５０】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、抽選手段８３で行われる始動チャッカー２７への入賞に応答した大当たり抽選の結果を保留球として記憶し、保留球数を１インクリメントする。
【００５１】
作動制御手段８８は、所定のタイミングで始動チャッカー開閉ソレノイド６９に駆動信号を送って該ソレノイド６９を作動させ、始動チャッカー２７を開閉動作させる。また、作動制御手段８８は、所定のタイミングでアタッカー開閉ソレノイド７０に駆動信号を送り、アタッカー５を１５ラウンドだけ開閉動作させるように制御する。
【００５２】
演出制御手段９０は、遊技制御手段８６の指令に応答して、放音装置１２を放音駆動し、演出用照明装置１１及び照明装置６１を発光駆動して遊技者の聴覚や視覚に訴える演出を行う。
【００５３】
表示制御手段９１は、遊技制御手段８６からの信号に従って、画像表示装置３５を駆動し、大当たり抽選結果を中心とした内容等の演出を、遊技者の視覚に訴えるように演出表示する。その際、表示制御手段９１は、抽選手段８３による各抽選結果を、遊技制御手段８６からの信号に従って演出表示する。
【００５４】
次に、本パチンコ機１による作用について図６を参照しつつ説明する。
【００５５】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００５６】
遊技領域３ａに打ち出された遊技球の一部がセンター飾り２３が有する不図示のワープ導入口に入球すると、その遊技球はステージＳ上に放出された後、該ステージＳの傾斜に沿って転動し、或るものはそのまま遊技領域３ａに落下し、或るものは放出口４９から始動チャッカー２７に向けて放出され、高い入賞確率（略１００％）で該チャッカー２７に入賞する。
【００５７】
ところで、始動チャッカー２７や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９１に順次送信し、変動パターン信号の送信に応じて保留球数を１デクリメントする。また保留手段８７は、当該保留球の消費に応じて、抽選手段８３で行われる始動チャッカー２７への入賞に応じた大当たり抽選の結果を保留球として記憶し、保留球数を１インクリメントする。
【００５８】
ステップＳ３において、大当たり抽選で当選した場合、抽選手段８３が当たりフラグをオンすると、演出用メモリに格納された演出乱数値に基づく抽選で、大当たりの種別、つまり確変当たりか通常当たり対応する変動パターンが決定される。
【００５９】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００６０】
以上のようにして、遊技制御手段８６が、画像表示装置３５に表示すべき演出内容に関する信号を、表示制御手段９１に送信することに基づき、表示制御手段９１は、画像表示装置３５を適時駆動し、大当たり抽選結果に関する内容等を、遊技者の視覚に訴えるように演出表示することとなる（ステップＳ５）。
【００６１】
そして、前述のステップＳ５に示した抽選結果が大当たり決定である場合、作動制御手段６１は、作動決定手段６３の作動開始決定の旨の信号に基づき、所定のタイミングでアタッカー開閉ソレノイド７０に駆動信号を送り、当該ソレノイド７０を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６２】
ところで、前述したステップＳ５にて説明したように、抽選手段８３にて大当り当選が決定されると、遊技制御手段８６及び表示制御手段９１からの信号に応じて画像表示装置３５にその当選結果が演出表示される。そして、この大当たり当選の演出表示と同時に、遊技制御手段８６及び演出制御手段９０からの信号に応じ、センター飾り２３の左右側部に配設された照明装置６１が照明される。
【００６３】
照明装置６１は、演出制御手段９０からの発光制御に係る信号を受けることにより、ＬＥＤ６２を発光駆動する。このＬＥＤ６２の光は放射状に発せられるが、代表的なものとしては、例えば図２に示したような矢印Ｌ１，Ｌ２，Ｌ３のような向きに進行する。
【００６４】
矢印Ｌ１方向に進行する光は、遊技盤３や反射部材６４等と平行をなすように進み、拡散部６５に導かれた後に遊技盤３の前側方向へと拡散される。また、矢印Ｌ２方向に進行する光は、発光された当初から遊技盤３の前側方向へと進行するため、そのまま拡散部６５へと導かれ、これを透過して遊技盤３の前側方向へと拡散される。また、矢印Ｌ３方向に進行する光は、ＬＥＤ６２の奥側（図２の正面視下方側）に配置された反射部材６４に入射し、図２に示す矢印Ｌ３´の向きに反射した後に拡散部６５へと導かれ、遊技盤３の前側方向へと拡散される。
【００６５】
上述したことから、ＬＥＤ６２の前側半面６２ａ（図２参照）から発せられる光（つまり矢印Ｌ１に向う光のうちの約半分と矢印Ｌ２に向う光と）は、遊技盤３の前側方向となる遊技中の遊技者に向けて（例えば図２に示す視線Ｅの方向）投射されることとなる。更に、本発明にあっては、上記した光に加え、ＬＥＤ６２の後側半面６２ｂから発せられる光（つまり矢印Ｌ１に向かう光のうちの約半分と矢印Ｌ３に向う光と）が、反射部材６４で反射することにより、遊技盤３の前側方向に位置する遊技中の遊技者に向けて（例えば図２に示す視線Ｅの方向）投射されることとなる。これにより、ＬＥＤ６２から発せられる光のほとんどが、遊技者に向けて損失なく有効に導かれるものとなる。更に、ＬＥＤ６２の実像と反射部材６４で反射されたＬＥＤ６２の虚像とにより形成される光源領域が、拡散部６５によって滲むように遊技者に視認されることから、照明装置６１があたかも面発光しているような状態が醸し出されるものとなる。
【００６６】
次いで、照明装置６１における他の例について図７を参照して説明する。図７は、照明装置６１における他の例を示す平面図である。なお、図示していない構成については本実施の形態におけるパチンコ機１の構成に従うものとし、その説明を省略すると共に、図１ないし図６と同一符号のものは同一、又は相当部分を示すものとする。
【００６７】
図７に示すように、照明装置７１は、前述した照明装置６１に比して、透過性を有したレンズ部材であるフィルター部材７２を有している点で相違している。該フィルター部材（フィルター部）７２は、その表面が氷状の不規則な凹凸にカットされたアイスカットレンズ（グラス状のカットレンズ）からなり、センター飾り２３のステージＳから続く床面Ｓ´に対して垂直で、且つ、ＬＥＤ６２の光軸をなす矢印Ｌ４方向に進む光が、拡散部６５、つまり遊技盤３の前側方向に導かれるような角度に配設されている。
【００６８】
ＬＥＤ６２の光軸をなす矢印Ｌ４方向に進む光は、上記フィルター部材７２に入射すると、図７の正面視上方に向って導かれ、該フィルター部材７２から出射する際に更に同方向に導かれる。これにより、該光は、遊技盤３と平行な進行方向から、遊技盤３の前側方向（例えば矢印Ｌ５方向）へと向きを変えた拡散光となる。
【００６９】
これにより、ＬＥＤ６２が発する光を、ＬＥＤ６２から直接向う経路（例えば図２の矢印Ｌ２参照）と、ＬＥＤ６２から反射部材６４を介して間接的に向う経路（例えば図２の矢印Ｌ３参照）と、上記した拡散光の辿る経路と、から遊技盤３の前側に向けて無駄なく有効に導くことができるようになる。これにより、ＬＥＤ６２から発せられる光のほとんどが、遊技者に向けて損失なく有効に導かれることとなる。
【００７０】
一方、図７には、上記したフィルター部材７２以外に、反射用レンズ部材７５（破線）が示されている。反射用レンズ部材７５は、光を反射及び拡散するもので、画像表示装置３５近傍の反射部材６４の際に配設されることで、ＬＥＤ６２からの光が、拡散部６５、つまり遊技盤３の前側方向に反射・拡散される角度となるように設計配置されている。
【００７１】
例えば、ＬＥＤ６２の矢印Ｌ６方向に進む光は、反射用レンズ部材７５に投射されると、図７の正面視上方に向って屈折及び拡散される。これにより、該光は、画像表示装置３５の画面３５ａに向かう進路から、遊技盤３の前側方向（例えば矢印Ｌ７方向）へと向きを変える。従って、照明装置７１は、画像表示装置３５の画面３５ａの際まで有効に照明できるとともに、ＬＥＤ６２からの光が該画面３５ａ上に漏れないようにすることができ、画像表示装置３５の画面３５ａに生じる照り返しや映り込み等を防ぐことができるものとなる。
【００７２】
なお、以上説明した本実施の形態では、本発明の特徴となる照明装置６１，７１をセンター飾り２３に備えさせる例を挙げて説明したが、前扉７等に配設させてもよく、その配設場所は特に限定されるものではない。
【００７３】
以上説明したように、本実施の形態におけるパチンコ機１は、照明装置６１，７１が、ＬＥＤ６２と、ＬＥＤ６２からの光を遊技盤３の前側に向うように反射する反射部材６４と、反射部材６４及びＬＥＤ６２からの光を遊技盤３の前側に拡散する拡散レンズ６５と、を有しつつ、ＬＥＤ６２からの光が、拡散レンズ６５に直接導かれるとともに、反射部材６４を介して拡散レンズ６５へと導かれるようにする。これにより、照明装置６１，７１は、遊技盤３の前側に直接向わないＬＥＤ６２からの光を、反射部材６４で反射させることによって間接的に向わせることができるので、光量を維持しつつも面発光した見た目に広がりのある照明をすることができる。また、ＬＥＤ６２からのほとんどの光を遊技中の遊技者に向けて損失なく有効に導くことができるので、従来１つのＬＥＤ等で得ていた光量を超える光量を、同様の１つのものから確保することができるようになり、少ない部品点数で効果的な照明をすることが可能となる。このことは、低コストで且つ製造時の組付け労力の少ないパチンコ機の提供につながる。
【００７４】
また、拡散レンズ６５を通して視認されるＬＥＤ６２が、該ＬＥＤ６２の実像と、反射部材６４に映って反射した虚像と、に仮想的に増加することから、あたかもＬＥＤ６２における光源領域が広くなったかのような装飾性を遊技者に提供できるものとなる。更に、ＬＥＤ６２における上記実像と虚像との位置が、遊技盤３における垂直方向（つまり図１の正面視奥行き方向）に対してズレるため、実像と虚像との間に光度の差異が生じる。これにより、ＬＥＤ６２からの光の輪郭が一層あいまいになることから、照明装置６１から発する光を深みのある質感の高いものにすることができるようになる。
【００７５】
また、ＬＥＤ６２は、光軸（矢印Ｌ１，Ｌ４）を中心に光を放射状に発してなり、かつ該光軸が遊技盤に略々平行となるように配置されてなるので、拡散レンズ６５を通して視認される光の光量が、ＬＥＤ６２からのものと反射部からのものとでバランスがとれた状態となり、光量を維持しつつも面発光した見た目に広がりのある照明を提供するものとなる。従って、あたかもＬＥＤ６２の光源領域が広くなったかのような装飾性を遊技者に提供できるものとなる。
【００７６】
また、ＬＥＤ６２の実像と、該ＬＥＤ６２が反射部材６４に映って反射する虚像とは、遊技者の視点の位置によって、遊技者の目に映る両者の間の距離が微妙に変位するため、拡散レンズ６５を通して視認される光の輪郭形状が多様に変わり、遊技者に対して豊かな発光装飾を提供することができるようになる。
【００７７】
また、照明装置７１が、ＬＥＤ６２と拡散レンズ６５との間に配設され、ＬＥＤ６２から発せられる光のうち遊技盤３に平行に向う光を、遊技盤３の前側方向に屈折させるフィルター部材７２を有してなる。これにより、ＬＥＤ６２から遊技盤３に平行に発せられる光が、遊技盤３の前側、つまり遊技中の遊技者の方に集約的に導かれるようになり、遊技盤３の前側が有効に照明され、遊技機１における装飾性の向上を図ることができるようになる。
【００７８】
また、フィルター部材７２が、アイスカットレンズであるので、該フィルター部材７２は、遊技盤３に平行に向う光を一層拡散させつつ遊技盤３の前側に有効に導くことができ、パチンコ機１における装飾性の向上を図ることができる。また、照明装置７１からの光の輪郭形状が、一層面発光に近い状態になることから、広がりのある発光装飾を遊技者に提供することができるようになる。
【００７９】
また、遊技領域３ａに、画像表示装置３５の画面３５ａを開口３６から露出させた状態で配置されたセンター飾り２３を備え、照明装置７１が、センター飾り２３に配設されてなり、反射部材６４が、ＬＥＤ６２から発せられる光のうち画像表示装置３５の画面３５ａに向う光を、遊技盤３の前側に反射する反射用レンズ部材７５を有してなる。これにより、照明装置７１は、画像表示装置３５の画面３５ａの際まで有効に照明できるとともに、ＬＥＤ６２からの光が該画面３５ａに漏れないようにすることができ、画像表示装置３５の画面３５ａに生じる照り返しや映り込みを防ぐことができるようになる。
【００８０】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８１】
【図１】本発明に係る実施の形態におけるパチンコ機の外部構造を示す正面図である。
【図２】図１に示したセンター飾りをＡ−Ａ線に沿って切断して矢視方向に見た状態で示す平面図である。
【図３】図１に示したセンター飾りのＡ−Ａ線とＢ−Ｂ線とをそれぞれ切断して取り出した部分を斜め上方から見た状態で示す斜視図である。
【図４】本パチンコ機の背面構造を示す背面図である。
【図５】本パチンコ機の制御系を示すブロック図である。
【図６】本パチンコ機による作用を説明するためのフローチャートである。
【図７】照明装置における他の例を示す平面図である。
【符号の説明】
【００８２】
１    遊技機（パチンコ機）
３    遊技盤
３ａ    遊技領域
３５    画像表示装置
３５ａ  画面
３６    開口部（開口）
６１    照明装置
６２    発光部（発光ダイオード、ＬＥＤ）
６４    反射部（反射部材）
６５    拡散部（拡散レンズ）
７１    照明装置
７２    フィルター部、アイスカットレンズ（フィルター部材）
７５    反射用レンズ部材
Ｂａ    遊技球
Ｌ１    光軸
Ｌ４    光軸
【図１】
2008161456.tif 000003
【図２】
2008161456.tif 000004
【図３】
2008161456.tif 000005
【図４】
2008161456.tif 000006
【図５】
2008161456.tif 000007
【図６】
2008161456.tif 000008
【図７】
2008161456.tif 000009